(57)【要約】      （修正有）【課題】ウォッシャーノズルの噴射制御を最適化するウォッシャーノズル一体型ワイパーブレードのウォッシャー液噴射制御システムを提供する。【解決手段】ワイパーブレードのワイピングのための駆動力を供給するワイパーモーター内に備えられ、ワイパーモーターの作動の際にワイパーモーターの出力軸と共に回転し、複数のクローズ区間とオープン区間とが交互に連続的に連結された形態で形成された位置感知プレート１７と、ワイパーモーターの作動の際に、前記位置感知プレート１７と物理的に接触状態及び分離状態になり、前記位置感知プレート１７との接触状態及び分離状態を区分可能な信号を伝送する接触ピンと、前記接触ピンから入力される信号に基づいて、ウォッシャーモーターの作動を制御する制御部と、を含むことを特徴とするウォッシャーノズル一体型ワイパーブレードのウォッシャー液噴射制御システムを提供する。【選択図】図２
2016088503.tif 000002
【特許請求の範囲】
【請求項１】
ワイパーブレードのワイピングのための駆動力を供給するワイパーモーター内に備えられ、ワイパーモーターの作動の際にワイパーモーターの出力軸と共に回転し、複数のクローズ区間とオープン区間とが交互に連続的に連結された形態で形成された位置感知プレートと、
ワイパーモーターの作動の際に、前記位置感知プレートと物理的に接触状態及び分離状態になり、前記位置感知プレートとの接触状態及び分離状態を区分可能な信号を伝送する接触ピンと、
前記接触ピンから入力される信号に基づいて、ウォッシャーモーターの作動を制御する制御部と、を含むことを特徴とするウォッシャーノズル一体型ワイパーブレードのウォッシャー液噴射制御システム。
【請求項２】
前記制御部は、前記位置感知プレートと接触した前記接触ピンが分離を開始する際に、ウォッシャーモーターを作動させてウォッシャー液噴射を開始させ、前記位置感知プレートと前記接触ピンとが再接触を開始する際に、ウォッシャーモーターの作動を停止させてウォッシャー液噴射を中止させることを特徴とする請求項１に記載のウォッシャーノズル一体型ワイパーブレードのウォッシャー液噴射制御システム。
【請求項３】
前記位置感知プレートは、オープン区間を挟んで連結された第１クローズ区間と第２クローズ区間とを有するものであり、前記制御部は、前記位置感知プレートの第１クローズ区間と接触した前記接触ピンが第１クローズ区間で分離を開始する際に、ウォッシャーモーターを作動させてウォッシャー液噴射を開始させ、前記接触ピンが前記位置感知プレートの第２クローズ区間と接触を開始する際に、ウォッシャーモーターの作動を停止させてウォッシャー液噴射を中止させることを特徴とする請求項１に記載のウォッシャーノズル一体型ワイパーブレードのウォッシャー液噴射制御システム。
【請求項４】
前記制御部は、前記位置感知プレートと前記接触ピンとが分離を開始する際に、ウォッシャーモーターを作動させてウォッシャー液噴射を開始させ、ウォッシャー液噴射の開始後に一定の時間が経過した後、ウォッシャーモーターの作動を停止させてウォッシャー液噴射を中止させることを特徴とする請求項１に記載のウォッシャーノズル一体型ワイパーブレードのウォッシャー液噴射制御システム。
【請求項５】
前記位置感知プレートは、オープン区間を挟んで連結された第１クローズ区間と第２クローズ区間とを有するものであり、前記制御部は、前記位置感知プレートの第１クローズ区間と接触した接触ピンが第１クローズ区間で分離を開始する際に、ウォッシャーモーターを作動させてウォッシャー液噴射を開始させ、ウォッシャー液噴射の開始後に予め設定された一定の時間が経過した後、ウォッシャーモーターの作動を停止させてウォッシャー液噴射を中止させることを特徴とする請求項１に記載のウォッシャーノズル一体型ワイパーブレードのウォッシャー液噴射制御システム。
【発明の詳細な説明】
【技術分野】
【０００１】
本発明は、ウォッシャーノズル一体型ワイパーブレードのウォッシャー液噴射制御システムに係り、より詳しくは、ウォッシャーノズル一体型ワイパーブレードの進行方向及び詳細位置を把握して、ウォッシャー液噴射時期を制御することにより、ウォッシャーノズルの噴射制御を最適化するウォッシャーノズル一体型ワイパーブレードのウォッシャー液噴射制御システムに関する。
【背景技術】
【０００２】
一般的に、車両には、ウィンドシールドガラス及びリアウィンドウガラスに付いた雪、雨またはその他の異物を拭き取るためのワイパー装置が設けられている。
【０００３】
このようなワイパー装置は、ワイパーモーターにより回転するワイパーブレードの動作によりガラスを拭き取る装置であって、ワイパーモーターによる回転運動がワイパーリンケージシステム（ｗｉｐｅｒ  ｌｉｎｋａｇｅ  ｓｙｓｔｅｍ）を経てワイパーアームに伝達され、このワイパーアームによりワイパーブレードが所定のワイピング区間で往復回動して、ウィンドシールドガラスを拭き取る構造になっており、このような構造によって運転手の視野を確保する機能を行う。
【０００４】
近年、ワイパー装置は、各種の電子制御システムやセンサー、色々なスイッチなどが付加されることで、より便利かつ安全な動作を具現している。
【０００５】
そして、ウィンドシールドガラスの表面を洗浄する過程において、異物をより容易に除去するために、ウォッシャー液が保存されたタンクからウォッシャー液を供給され、ウィンドシールドガラスの表面に向かって噴射するウォッシャーノズルがワイパーブレードに一体型に備えられる。
【０００６】
このようなウォッシャーノズルは、車両内の制御部（例えば、Ｂｏｄｙ  ｃｏｎｔｒｏｌ  ｍｏｄｕｌｅ：ＢＣＭ）により制御されて作動することになり、前記制御部は、ワイパーモーターで生じる電気的信号に基づいて、ウォッシャーノズルの作動を制御する。
【０００７】
図５を参照すれば、このとき、ワイパーモーターは、そのモーターギア部１（ワイパーモーターの出力軸に一体に形成され、ワイパーモーターの作動の際に回転運動を行う）に備えられているプレート状の銅板３が、パーキングスイッチの接触ピン（接続ピン）と物理的に接触する及び非接触となる（分離する）際に、前記パーキングスイッチの信号伝送により、制御部がモーターギア部１及び銅板３の回転周期を認知することになり、前記制御部は、モーターギア部１の回転の際にパーキングスイッチの接触ピンと非接触となる銅板の非接触区間Ｐを基準として、モーターギア部１及び銅板３が１回転するのにかかる所要時間を計算することができる。
【０００８】
これにより、前記制御部は、銅板３が１回転するのにかかる所要時間を基準として、ワイパーブレードの位置を推定し、銅板の非接触区間Ｐの信号を感知した後に一定の時間ｔ１、ｔ２後、ウォッシャー液を噴射させる（図１参照）。例えば、銅板が１回転するのに１秒がかかると、銅板の非接触区間Ｐを感知した後に２００ｍｓ後、ウォッシャーノズルを作動させてウォッシャー液を噴射させる。
【０００９】
しかし、このようにワイパーブレードの位置を推定してウォッシャー液噴射を制御する場合、ウィンドシールドガラスの摩擦条件や外力による妨害のような外部環境条件によって、ウォッシャー液噴射時期にエラーが生じ、また、ワイパーブレードの拘束状態及びワイパーモーターの作動速度の変更に対応できないという問題が生じる。
【発明の概要】
【発明が解決しようとする課題】
【００１０】
本発明の目的は、前記のような点に鑑みてなされたものであって、ウォッシャーノズル一体型ワイパーブレードの進行方向及び詳細位置を把握して、ウォッシャー液噴射時期を制御することにより、ウォッシャー液の噴射制御を最適化するウォッシャーノズル一体型ワイパーブレードのウォッシャー液噴射制御システムを提供することにある。
【課題を解決するための手段】
【００１１】
前記目的を達成するために、本発明では、ワイパーブレードのワイピングのための駆動力を供給するワイパーモーター内に備えられ、ワイパーモーターの作動の際にワイパーモーターの出力軸と共に回転し、複数のクローズ区間とオープン区間とが交互に連続的に連結された形態で形成された位置感知プレートと、ワイパーモーターの作動の際に、前記位置感知プレートと物理的に接触状態及び分離状態になり、前記位置感知プレートとの接触状態及び分離状態を区分可能な信号を伝送する接触ピンと、前記接触ピンから入力される信号に基づいて、ウォッシャーモーターの作動を制御する制御部と、を含むことを特徴とするウォッシャーノズル一体型ワイパーブレードのウォッシャー液噴射制御システムを提供する。
【００１２】
本発明の実施形態によれば、前記制御部は、前記位置感知プレートと接触した前記接触ピンが分離を開始する際に、ウォッシャーモーターを作動させてウォッシャー液噴射を開始させ、前記位置感知プレートと前記接触ピンとが再接触を開始する際に、ウォッシャーモーターの作動を停止させてウォッシャー液噴射を中止させる。
【００１３】
具体的には、前記位置感知プレートは、オープン区間を挟んで連結された第１クローズ区間と第２クローズ区間とを有するものであり、前記制御部は、前記位置感知プレートの第１クローズ区間と接触した前記接触ピンが第１クローズ区間で分離を開始する際に、ウォッシャーモーターを作動させてウォッシャー液噴射を開始させ、前記接触ピンが前記位置感知プレートの第２クローズ区間と接触を開始する際に、ウォッシャーモーターの作動を停止させてウォッシャー液噴射を中止させる。
【００１４】
また、本発明の実施形態によれば、前記制御部は、前記位置感知プレートと前記接触ピンとが分離を開始する際に、ウォッシャーモーターを作動させてウォッシャー液噴射を開始させ、ウォッシャー液噴射の開始後に一定の時間が経過した後、ウォッシャーモーターの作動を停止させてウォッシャー液噴射を中止させる。
【００１５】
具体的には、前記位置感知プレートは、オープン区間を挟んで連結された第１クローズ区間と第２クローズ区間とを有するものであり、前記制御部は、前記位置感知プレートの第１クローズ区間と接触した接触ピンが第１クローズ区間で分離を開始する際に、ウォッシャーモーターを作動させてウォッシャー液噴射を開始させ、ウォッシャー液噴射の開始後に予め設定された一定の時間が経過した後、ウォッシャーモーターの作動を停止させてウォッシャー液噴射を中止させる。
【発明の効果】
【００１６】
本発明によるウォッシャーノズル一体型ワイパーブレードのウォッシャー液噴射制御システムによれば、ウォッシャー液噴射と共にワイパーブレードが回転移動し、ワイパーブレードの進行方向にウォッシャー液が噴射されるので、雨中に運転手の視野を妨害しないことになり、ほとんどのウォッシャー液がワイピング領域内に噴射されるので、不要なウォッシャー液の消費を最小化する。
【図面の簡単な説明】
【００１７】
【図１】本発明によるウォッシャーノズル一体型ワイパーブレードのウォッシャー液噴射制御システムの概要を説明するための図面である。
【図２】本発明によるウォッシャーノズル一体型ワイパーブレードのウォッシャー液噴射制御方式を説明するための図面である。
【図３】本発明の一実施形態によるウォッシャーノズル一体型ワイパーブレードのウォッシャー液噴射制御方式を説明するための図面である。
【図４】本発明の他の実施形態によるウォッシャーノズル一体型ワイパーブレードのウォッシャー液噴射制御方式を説明するための図面である。
【図５】従来のウォッシャー液噴射制御方式を説明するための図面である。
【発明を実施するための形態】
【００１８】
以下、本発明を当該技術分野において通常の知識を持った者が容易に実施できるように説明する。
【００１９】
図１は、ウォッシャーノズル一体型ワイパーブレードのウォッシャー液噴射制御システムを概略的に示す回路図であって、ここでは、ワイパーモーター内の銅板の物理的接点信号（接触及び分離）を入力とし、車両内の制御部１３、例えば、車体制御モジュール（Ｂｏｄｙ  ｃｏｎｔｒｏｌ  ｍｏｄｕｌｅ：ＢＣＭ）がウォッシャーモーター１５の動作を制御する関係を示す。
【００２０】
周知のように、ユーザがマルチファンクションスイッチ１１を操作することで、ワイパーモーターに電源が供給され、ワイパーブレードがガラスを拭き取るワイピング動作を行うことになる。このとき、ワイパーモーターは、電源が供給されると回転トルクを生じ、ワイパーモーターの出力軸に一体に形成されているモーターギア部（例えば、ホイールギア）が前記回転トルクにより回転運動を行うことになる。前記モーターギア部には、一体化された銅板が構成され、モーターギア部と一体に回転運動を行うことになる。
【００２１】
そして、前記のようなワイパーモーター内の銅板には、銅板と物理的に接触及び分離されながら、車両内の制御部へ電気的信号を伝送するパーキングスイッチの接触ピンが機械的／物理的に連結されている。
【００２２】
このとき、前記銅板は、一定の区間が開口したオープン区間を有するプレート状に形成されているので、ワイパーモーターの回転トルクに相応して回転運動を行うことで、一定の位置に固定されている接触ピンとの接触及び分離が生じる。
【００２３】
すなわち、接触ピンは、銅板の一側に固定された形態に位置しており、前記銅板が回転することで、接触ピンと銅板との間に物理的な接触及び分離現象が生じる。
【００２４】
本発明では、前記のようなワイパーモーター内の銅板の物理的接点信号（接触ピンとの接触及び分離による信号）を入力とした、車両内の制御部の最適化されたウォッシャー液噴射制御のために、銅板の形状を改善して、ワイパーモーターの作動によるワイパーブレードの進行方向及び詳細位置を正確に把握することで、ウォッシャーモーター（ウォッシャーノズル）のオン／オフ時期の制御を正確に行って、ウォッシャー液噴射制御を最適化することができる。
【００２５】
図２は、本発明の実施形態によるワイパーモーター内の銅板、すなわち、位置感知プレート、及びその回転動作によって制御部に入力される信号の波形を示すものである。
【００２６】
図２の左側に示すように、ワイパーモーター内の位置感知プレート１７は、複数のクローズ区間Ｐ、Ｐ′とオープン区間Ｏ、Ｏ′とを有するものであり、ワイパーモーターの作動の際に、ワイパーモーターの回転トルクに相応して回転運動を行うことで、接触ピン（図示せず）との物理的な接触及び分離が生じる。
【００２７】
図２を参照すれば、前記位置感知プレート１７は、第１クローズ区間Ｐ、第１オープン区間Ｏ、第２クローズ区間Ｐ′及び第２オープン区間Ｏ′が連続的に連結された形態で形成されることで、ワイパーモーターの作動による回転の際に、接触ピンとの物理的な接触及び分離によりパルス波形の信号を生じることになる。
【００２８】
すなわち、前記位置感知プレート１７は、少なくとも二つ以上のクローズ区間Ｐ、Ｐ′とオープン区間Ｏ、Ｏ′とを有することで、ワイパーモーターの回転トルクに相応して回転運動を行う際、接触ピンとの接触状況及び分離状況が一定の区間ごとに繰り返し的に生じる。これにより、接触ピンを介して制御部１３へ伝送される電気的信号が、図２の右側のグラフのように連続的なパルス波形を形成することができる。
【００２９】
ここで、前記第１オープン区間Ｏ及び第２オープン区間Ｏ′は、銅板の素材からなる円板型の位置感知プレート１７の開かれた区間（すなわち、銅板が除去された区間）として形成され、前記第１クローズ区間Ｐ及び第２クローズ区間Ｐ′は、第１オープン区間Ｏ及び第２オープン区間Ｏ′に隣り合う閉じられた区間（すなわち、銅板が残された区間）として形成される。
【００３０】
また、図示していないが、前記接触ピンは、位置感知プレート１７と物理的に接触または分離する際に、制御部１３へ電気的信号を伝送するように構成され、また、位置感知プレート１７と物理的に接触する際（クローズ区間）、及び位置感知プレート１７と物理的に分離する際（オープン区間）に、制御部１３が区分できる信号を伝送することになる。
【００３１】
例えば、前記接触ピンは、図２のＡ地点に位置して、位置感知プレート１７の回転により位置感知プレート１７と接触及び分離する。
【００３２】
図２の右側のグラフに示すように、前記制御部１３は、位置感知プレート１７と接触ピンとが接触を開始する際Ｂ２、Ｃ２と、位置感知プレート１７と接触ピンとが分離を開始する際Ｂ１、Ｃ１との信号を区分されるように感知して把握して、ウォッシャーモーター（ウォッシャーノズル）のオン（噴射）／オフ（停止）作動を制御し、また、第１クローズ区間Ｐと第２クローズ区間Ｐ′とを区分されるように把握して、ウォッシャーノズルの上向き噴射及び下向き噴射（あるいは、ワイパーブレードの上向き移動及び下向き移動）を区分する。
【００３３】
このとき、前記第１クローズ区間Ｐと前記第２クローズ区間Ｐ′との区分のために、制御部１３は、１サイクル（ワイパーモーターの１回転）のうち接触ピンが最初に接触するクローズ区間を、第１クローズ区間Ｐ及び第２クローズ区間Ｐ′のうちいずれか一つのクローズ区間に予め設定する。
【００３４】
図３及び図４は、本発明の実施形態によるウォッシャーノズルの噴射（ウォッシャーモーターの作動）制御方式を説明するためのものであり、ワイパーモーターの作動によるワイパーブレードの移動位置と、前記ワイパーモーター内の位置感知プレート１７の回転動作による接触ピンの接点位置との関係を示す。
【００３５】
まず、図３を参照して説明すれば、ワイパーブレードは、ワイパーモーターの１サイクルを基準として、１サイクルの開始時点（図２のＡ参照）ではウィンドシールドガラスの下端側に位置していて、ワイパーモーターの作動によりウィンドシールドガラスの上端側に移動することになる。このとき、ウォッシャーノズルは、制御部１３の信号によってウォッシャーモーター１５が作動することで、上向きにウォッシャー液を噴射する。
【００３６】
前記制御部１３は、ワイパーブレードが「１」の位置にある際、接触ピンから入力される信号に基づいて、ワイパーブレードがウィンドシールドガラスの下端に位置していることを把握する。
【００３７】
このとき、接触ピンは、位置感知プレート１７の第１クローズ区間Ｐ（あるいは、第２クローズ区間Ｐ′）に位置して、位置感知プレート１７と物理的に接触して発生する信号（接触信号）を制御部１３に入力し、前記制御部１３は、接触信号に基づいて、ワイパーブレードがウィンドシールドガラスの下端に位置していることを把握する。
【００３８】
前記ワイパーブレードがウィンドシールドガラスの下端、すなわち、「１」の位置から上端側に移動して「２」の位置に達すると共に、接触ピンが第１クローズ区間Ｐを外れて  位置感知プレート１７との物理的接触状態が解除され、位置感知プレート１７との物理的分離状態が開始すれば、制御部１３は、位置感知プレート１７の「２」地点に位置した接触ピンから入力される信号に基づいて、ワイパーブレードの位置（ガラスの下端に近接した位置）を把握し、ウォッシャーモーター１５をオン（作動）させてウォッシャー液噴射を開始させる。
【００３９】
次いで、ワイパーブレードがウィンドシールドガラスの上端側に移動し続けて「３」地点を経て「４」の位置に達すると共に、接触ピンが第１オープン区間Ｏを外れて第２クローズ区間Ｐ′に達して位置感知プレート１７と接触を開始すれば、制御部１３は、位置感知プレート１７の「４」地点に位置した接触ピンから入力される信号に基づいて、ワイパーブレードの位置（ガラスの上端に近接した位置）を把握し、ウォッシャーモーター１５をオフ（停止）させてウォッシャー液噴射を中断させる。
【００４０】
以後、ワイパーブレードは、ウォッシャー液噴射が中断された状態で、ウィンドシールドガラスの上端（図４のＡ位置を参照）まで移動し、再びウィンドシールドガラスの上端から下端側に移動する。
【００４１】
図４を参照して説明すれば、ワイパーブレードは、ウィンドシールドガラスの上端、すなわち、Ａ地点から下端側に移動してＢ地点に達することになる。このとき、ウォッシャーノズルは、制御部１３の信号によってウォッシャーモーター１５が作動することで、下向きにウォッシャー液を噴射する。
【００４２】
前記制御部１３は、ワイパーブレードがＡ地点に位置する際、接触ピンから入力される信号に基づいて、ワイパーブレードがウィンドシールドガラスの上端に位置していることを把握する。
【００４３】
このとき、接触ピンは、位置感知プレート１７の第２クローズ区間Ｐ′（あるいは、第１クローズ区間Ｐ）に位置して、位置感知プレート１７と物理的に接触して発生する信号（接触信号）を制御部１３に入力し、前記制御部１３は、接触信号に基づいて、ワイパーブレードがウィンドシールドガラスの上端に位置していることを把握する。
【００４４】
前記ワイパーブレードがウィンドシールドガラスの上端、すなわち、Ａ地点から下端側に移動してＢ地点に達すると共に、接触ピンが第２クローズ区間Ｐ′を外れて位置感知プレート１７との物理的接触状態が解除され、位置感知プレート１７との物理的分離状態が開始すれば、制御部１３は、位置感知プレート１７のＢ地点に位置した接触ピンから入力される信号に基づいて、ワイパーブレードの位置（ガラスの上端に近接した位置）を把握し、ウォッシャーモーター１５をオン（作動）させてウォッシャー液噴射を開始させる。
【００４５】
次いで、ワイパーブレードがウィンドシールドガラスの下端側に移動し続けてＣ地点を経てＤ地点に達すると共に、接触ピンが第２オープン区間Ｏ′を外れて第１クローズ区間Ｐに達して位置感知プレート１７と物理的な接触を開始すれば、制御部１３は、位置感知プレート１７のＤ地点に位置した接触ピンから入力される信号に基づいて、ワイパーブレードの位置（ガラスの下端に近接した位置）を把握し、ウォッシャーモーター１５をオフ（停止）させてウォッシャー液噴射を中断させる。
【００４６】
以後、ワイパーブレードは、ウォッシャー液噴射が中断された状態で、ウィンドシールドガラスの下端（図３の「１」位置を参照）まで移動し、ワイパーモーターの作動が中断されるまで前記のような過程を繰り返す。
【００４７】
以下、図３及び図４を参照して、前記と異なるウォッシャー液噴射制御方式について説明する。
【００４８】
まず、図３を参照して説明すれば、ワイパーブレードは、ワイパーモーターの１サイクルを基準として、１サイクルの開始時点（図２のＡ参照）ではウィンドシールドガラスの下端側に位置していて、ワイパーモーターの作動によりウィンドシールドガラスの上端側に移動することになる。このとき、ウォッシャーノズルは、制御部１３の信号によってウォッシャーモーター１５が作動することで、上向きにウォッシャー液を噴射する。
【００４９】
前記制御部１３は、ワイパーブレードが「１」の位置にある際、接触ピンから入力される信号に基づいて、ワイパーブレードがウィンドシールドガラスの下端に位置していることを把握する。
【００５０】
このとき、接触ピンは、位置感知プレート１７の第１クローズ区間Ｐ（あるいは、第２クローズ区間Ｐ′）に位置して、位置感知プレート１７と物理的に接触して発生する信号（接触信号）を制御部１３に入力し、前記制御部１３は、接触信号に基づいて、ワイパーブレードがウィンドシールドガラスの下端に位置していることを把握する。
【００５１】
前記ワイパーブレードがウィンドシールドガラスの下端、すなわち、「１」の位置から上端側に移動して「２」の位置に達すると共に、接触ピンが第１クローズ区間Ｐを外れて位置感知プレート１７との物理的接触状態が解除され、位置感知プレート１７との物理的分離状態が開始すれば、制御部１３は、位置感知プレート１７の「２」地点に位置した接触ピンから入力される信号に基づいて、ワイパーブレードの位置（ガラスの下端に近接した位置）を把握し、ウォッシャーモーター１５をオン（作動）させてウォッシャー液噴射を開始させる。
【００５２】
次いで、ワイパーブレードは、ウィンドシールドガラスの上端側に移動し続け、制御部１３は、接触ピンから入力される信号に関わらず接触ピンが「２」地点に位置した後に一定の時間（予め設定された一定の時間）が経過すれば、ウォッシャーモーター１５をオフ（停止）させてウォッシャーノズルのウォッシャー液噴射を停止させる。
【００５３】
すなわち、制御部１３は、ウォッシャー液噴射開始時点後に予め設定された一定の時間（例えば、１００ｍｓ）が経過すれば、ウォッシャーモーター１５をオフ（停止）させてウォッシャーノズルのウォッシャー液噴射を停止させる。
【００５４】
一例として、前記制御部１３がウォッシャー液噴射を停止させる時点は、接触ピンが第１オープン区間内の「３」地点に位置した場合であってもよい。
【００５５】
ここで、ウォッシャー液噴射開始時点は、位置感知プレート１７の第１クローズ区間Ｐの長さ調節により調整することができる。前記第１クローズ区間Ｐは、車種別に長さチューニングが必要であると共に、また、長さ変更を防止するために汎用の長さを選定することも必要である。
【００５６】
また、車種別にワイパーブレードのワイピング角度差が大きい場合、ウォッシャー液噴射停止時点をチューニングすることも必要である。
【００５７】
以後、ワイパーブレードは、ウォッシャー液噴射が停止された状態で移動し続けて「４」地点を経てウィンドシールドガラスの上端（図４のＡ位置を参照）側に移動し、ワイパーモーターの作動により、再びウィンドシールドガラスの上端から下端側に移動する。
【００５８】
図４を参照して説明すれば、ワイパーブレードは、ウィンドシールドガラスの上端、すなわち、Ａ地点からウィンドシールドガラスの下端側に移動してＢ地点に達することになる。このとき、ウォッシャーノズルは、制御部１３の信号によってウォッシャーモーター１５が作動することで、下向きにウォッシャー液を噴射する。
【００５９】
前記制御部１３は、ワイパーブレードがＡ地点に位置する際、接触ピンから入力される信号に基づいて、ワイパーブレードがウィンドシールドガラスの上端に位置していることを把握する。
【００６０】
このとき、接触ピンは、位置感知プレート１７の第２クローズ区間Ｐ′（あるいは、第１クローズ区間Ｐ）に位置して、位置感知プレート１７と物理的に接触して発生する信号（接触信号）を制御部１３に入力し、前記制御部１３は、接触信号に基づいて、ワイパーブレードがウィンドシールドガラスの上端に位置していることを把握する。
【００６１】
前記ワイパーブレードがウィンドシールドガラスの上端、すなわち、Ａ地点から下端側に移動してＢ地点に達すると共に、接触ピンが第２クローズ区間Ｐ′を外れて位置感知プレート１７との物理的接触状態が解除され、位置感知プレート１７との物理的分離状態が開始すれば、制御部１３は、位置感知プレート１７のＢ地点に位置した接触ピンから入力される信号に基づいて、ワイパーブレードの位置（ガラスの上端に近接した位置）を把握し、ウォッシャーモーター１５をオン（作動）させてウォッシャー液噴射を開始させる。
【００６２】
次いで、ワイパーブレードは、ウィンドシールドガラスの下端側に移動し続け、制御部１３は、接触ピンから入力される信号に関わらず接触ピンがＢ地点に位置した後に一定の時間（予め設定された一定の時間）が経過すれば、ウォッシャーモーター１５をオフ（停止）させてウォッシャーノズルのウォッシャー液噴射を停止させる。
【００６３】
すなわち、制御部１３は、ウォッシャー液噴射開始時点後に予め設定された一定の時間（例えば、１００ｍｓ）が経過すれば、ウォッシャーモーター１５をオフ（停止）させてウォッシャーノズルのウォッシャー液噴射を停止させる。
【００６４】
一例として、前記制御部１３がウォッシャー液噴射を停止させる時点は、接触ピンが第２オープン区間内のＣ地点に位置した場合であってもよい。
【００６５】
以後、ワイパーブレードは、ウォッシャー液噴射が停止された状態で移動し続けてＤ地点を経てウィンドシールドガラスの下端（図３の「１」位置を参照）側に移動し、ワイパーモーターの作動が中断されるまで前記のような過程を繰り返す。
【００６６】
以上、本発明の実施形態について詳細に説明してきたが、本発明の権利範囲は、上述の実施形態に限定されず、特許請求の範囲で定義している本発明の基本概念を用いた当業者の色々な変形及び改良の形態も本発明の権利範囲に含まれる。
【符号の説明】
【００６７】
１１    マルチファンクションスイッチ
１３    制御部
１５    ウォッシャーモーター
１７    位置感知プレート
Ｐ    位置感知プレートの第１クローズ区間
Ｐ′    位置感知プレートの第２クローズ区間
Ｏ    位置感知プレートの第１オープン区間
Ｏ′    位置感知プレートの第２オープン区間
【図１】
2016088503.tif 000003
【図２】
2016088503.tif 000004
【図３】
2016088503.tif 000005
【図４】
2016088503.tif 000006
【図５】
2016088503.tif 000007